(57)【要約】【課題】  コンクリートを打設することなく鋼管柱の沈下を防止できる鋼管柱及びこれを固定するための取付け部材並びに根かせ部材を提供する。【解決手段】  鋼管柱１２は、地中に設けられた根かせ部材１４に取付け部材１３によって固定される。鋼管柱１２には、取付け部材１３が接触する部位１２ａの直上に所定の大きさの突起部１５が設けられている。取付け部材１３は、鋼管柱１２に接触する面に滑り止め部材２０が設けられている。根かせ部材１４は、鋼管柱１２に接触する面に、鋼管柱１２の外周面１２ｂと略合致する曲面状凹部１４ｃを有する。【選択図】  図４
2007182730.tif 000002
【特許請求の範囲】
【請求項１】
地中に設けられた根かせ部材に取付け部材によって固定される鋼管柱であって、前記取付け部材が接触する部位の直上に所定の大きさの突起部が設けられていることを特徴とする鋼管柱。
【請求項２】
請求項１記載の鋼管柱において、
前記突起部は、前記部位に巻きつけられた板から成ることを特徴とする鋼管柱。
【請求項３】
地中に設けられた根かせ部材に鋼管柱を固定させるのに用いられる取付け部材であって、
前記鋼管柱が接触する面に滑り止め部材を有することを特徴とする取付け部材。
【請求項４】
取付け部材によって鋼管柱を固定するために地中に設置される根かせ部材であって、
前記鋼管柱が接触する面に、前記鋼管柱の外周面と略合致する曲面状凹部を有することを特徴とする根かせ部材。
【発明の詳細な説明】
【技術分野】
【０００１】
本発明は、電線を架設するために用いられる鋼管柱及びこれを固定させるための取付け部材並びに根かせ部材に関する。
【背景技術】
【０００２】
電線や通信線を架設するための電柱には、コンクリート製のものが多く用いられている。しかし、コンクリート製の電柱（以下「コンクリート柱」という）は、幅の狭い道路や街角等では電柱の運搬や設置のための作業スペースを確保するのが困難或いは不可能な場合がある。そこで、コンクリート柱の代わりに鋼管柱が用いられる。
【０００３】
鋼管柱とは、長さ 8 m 程度の円形断面の鋼管から成る電柱である。必要に応じて、2 本以上の鋼管柱を繋ぎ合わせることもある。
【０００４】
図７を参照して、鋼管柱の設置方法について説明する。まず、鋼管柱２の根元部を地面６から通常，長さの６分の１（15mの電柱の場合、2.5 m）の深さまで埋め込む。次に、地下約 0.5 m の深さに埋設された「根かせ」と称される横長のコンクリート製支持部材４に、「Ｕバンド」と称される略Ｕ字形の金属製ベルト３を用いて、鋼管柱２を取り付ける。詳しくは、Ｕバンド３を鋼管柱２に巻きつけ、ボルト及びナット（ともに図示しない）を用いてＵバンド３を締め付け、根かせ４に固定することにより、鋼管柱２を地中に支持する。さらに、鋼管柱２に電線５を架設したときに電線５の張力によって鋼管柱２が倒れることを防ぐために、鋼管柱２の上端部２ａと地面６との間で斜めに支線７を張設し、その地面側の先端７ａを地下に埋設されたアンカ８と称される錘部材に連結して固定する。ただし、鋼管柱２の設置場所が軟弱地盤の場合には、鋼管柱２が支線７の張力によって沈下することを防ぐために、鋼管柱２を設置する前に設置位置を中心に地面を掘り下げ、コンクリート９を打設する必要がある。
【発明の開示】
【発明が解決しようとする課題】
【０００５】
しかしながら、コンクリートを打設する場合には、コンクリートが固まるのに数日かかるため、作業効率が悪い。また、コンクリート打設のための費用がかかるという問題もある。
【０００６】
本発明は、コンクリートを打設することなく鋼管柱の沈下を防止できる鋼管柱及びこれを固定するための取付け部材並びに根かせ部材を提供することを目的とする。
【課題を解決するための手段】
【０００７】
本発明の鋼管柱は、地中に設けられた根かせ部材に取付け部材によって固定されるものであって、前記取付け部材が接触する部位の直上に所定の大きさの突起部が設けられていることを特徴とする。ここでいう所定の大きさとは、取付け部材を鋼管柱に接触させて取り付ける際に取付け部材と鋼管柱との間に発生する1 mm 程度の隙間よりも大きいことをいい、前記取付け部材の厚さと同じ程度が好ましい。このとき、前記突起部は溶接により取り付けられていることにしてもよい。これにより、突起部を鋼管柱に容易に取り付けることができる。また、前記突起部は、例えば、前記部位に所定の間隔で配置された略半球体或いは略直方体で形成できる。さらに、前記突起部は前記部位に巻きつけられた板で形成してもよく、これにより突起部のそれぞれの大きさを容易に揃えることができる。
【０００８】
本発明の取付け部材は、地中に設けられた根かせ部材に固定される鋼管柱を固定させるのに用いられるものであって、前記鋼管柱が接触する面に滑り止め部材を有することを特徴とする。
【０００９】
本発明の根かせ部材は、取付け部材によって鋼管柱を固定するために地中に設置されるものであって、前記鋼管柱が接触する面に、前記鋼管柱の外周面と略合致する曲面状凹部を有することを特徴とする。
【発明の効果】
【００１０】
本発明の鋼管柱によれば、取付け部材によって根かせ部材に固定させたときに、鋼管柱に設けられた突起部が前記取付け部材の上に載って鋼管柱の下方向の滑りを妨げるので、コンクリートを打設することなく鋼管柱の沈下を防止することができる。
【００１１】
本発明の取付け部材によれば、鋼管柱を根かせ部材に固定させたときに、鋼管柱に接触する面に設けられた滑り止め部材が鋼管柱の下方向の滑りを妨げるので、コンクリートを打設することなく鋼管柱の沈下を防止することができる。
【００１２】
本発明の根かせ部材によれば、取付け部材によって鋼管柱を固定させたとき、着座部が鋼管柱の外周面と略合致するため、より強く固定されて鋼管柱の下方向の滑りを妨げるので、コンクリートを打設することなく鋼管柱の沈下を防止することができる。
【発明を実施するための最良の形態】
【００１３】
以下、実施例の取付け部材を用いて鋼管柱を根かせ部材に取り付ける方法について説明する。図１は、実施例の鋼管柱を示す斜視図である。図２は、実施例の取付け部材を示す斜視図である。図３は、実施例の根かせ部材を示す斜視図である。図４は、取付け部材を用いて鋼管柱を根かせ部材に固定させた状態の全体構成を示す斜視図である。図５はその正面図、図６はその平面図である。
【００１４】
図１に示される鋼管柱１２は、取付け部材１３が接触する部位１２ａの直上に、所定の大きさの突起部１５を有する。
【００１５】
突起部１５は、取付け部材１３の厚さと同程度の突出高さを有する、略半球状の金属部材であって、鋼管柱１２に溶接で固着されている。その高さは、取付け部材１３を鋼管柱１２に接触させて取り付ける際に取付け部材１３と鋼管柱１２との間に発生する1 mm 程度の隙間よりも大きいことが好ましい。その位置は、取付け部材１３の上面１３ａに接していて（図５）、かつ、鋼管柱１２の根かせ部材１４とは反対側の外周面１２ａ上であって（図６）、等間隔に配列されている。なお、鋼管柱１２を根かせ部材１４にしっかりと固定するためには、根かせ部材１４に向かう外周面１２ｂ上には突起部１５が存在しないことが望ましい。突起部１５の形状は、略直方体であってもよく、取付け部材１３が鋼管柱１２に接触する部位１２ａに巻きつけられた板であってもよい。また、突起部１５の数は５個でなくてもよく、多ければ鋼管柱の下方向の滑りを妨げる力がさらに大きくなる。
【００１６】
図２に示される取付け部材１３は、図７のＵバンド３の代わりに使用されるものである。取付け部材１３は、略Ｕ字形の金属製部材であって、その両端に取り付けられたボルト１７と、その先端に取り付けられるナット１８とワッシャ１９とを有している。
【００１７】
取付け部材１３は、鋼管柱１２の外周面１２ａと略合致するような略Ｕ字形をしている。内側面には、滑り止め部材２０を有している（図の斜線部）。滑り止め部材２０として、紙やすりに用いられる砥粒が塗布されていてもよいし、ゴムテープが貼付されていてもよいし、スリット加工が施されていてもよい。
【００１８】
図６に示されるように、取付け部材１３の両端に取り付けられたボルト１７は、根かせ部材１４に設けた貫通孔１４ａを貫通して、裏面１４ｂでナット１８及びワッシャ１９にて締め付けられる。これによって、取付け部材１３によって鋼管柱１２を根かせ部材１４に固定し、鋼管柱１２がぐらつかないように、ナット１８を強固に締め付ける。
【００１９】
図３に示される根かせ部材１４は、横方向に細長い直方体のコンクリート製の部材である。図６に示されるように、根かせ部材１４の平面形状は、鋼管柱に接する側の面の中央部が厚くなっていて、この中央部から左右の両端に向かって薄くなるように傾斜している。そして、中央部は、鋼管柱１２の外周面１２ｂと略合致する曲面状凹部１４ｃとなっており、この形状によって鋼管柱１２はしっかり固定される。また、傾斜部には、取付け部材１３のボルト１７を貫通させるための貫通孔１４ａが設けられている。
【００２０】
次に、図４〜図６を参照して、実施例の取付け部材を用いて鋼管柱を根かせ部材に固定させる方法を説明する。まず、鋼管柱１２を立設し、鋼管柱１２の外周面１２ｂを地下に埋設された根かせ部材１４の曲面状凹部１４ｃに接触させる。次に、取付け部材１３の上面１３ａが鋼管柱１２の突起部１５に接し、かつ取付け部材１３の内側面の円弧部分が鋼管柱１２の外周面１２ａに接触する位置で取付け部材１３を保持して、ボルト１７を根かせ部材１４の貫通孔１４ａを貫通させる。最後に、取付け部材１３のボルト１７を根かせ部材１４の裏面１４ｂでナット１８及びワッシャ１９で強固に締め付ける。
【００２１】
以上、実施例の鋼管柱、取付け部材及び根かせ部材を同時に使用する場合について説明したが、例えば、実施例の取付け部材を用いて従来の鋼管柱を従来の根かせ部材に固定する組合わせでもよく、実施例を個別に従来の鋼管柱、取付け部材及び根かせ部材と適宜組み合わせて使用してもよい。また、鋼管柱は、取付け部材が接触する部位に上述の滑り止め部材を有していてもよい。
【図面の簡単な説明】
【００２２】
【図１】実施例の鋼管柱を示す斜視図。
【図２】実施例の取付け部材を示す斜視図。
【図３】実施例の根かせ部材を示す斜視図。
【図４】取付け部材を用いて鋼管柱を根かせ部材に固定させた状態の全体構成を示す斜視図。
【図５】取付け部材を用いて鋼管柱を根かせ部材に固定させた状態の全体構成を示す正面図。
【図６】取付け部材を用いて鋼管柱を根かせ部材に固定させた状態の全体構成を示す平面図。
【図７】従来の鋼管柱設置方法の説明図。
【符号の説明】
【００２３】
２：鋼管柱、３：Ｕバンド、４：根かせ、５：電線、６：地面、７：支線、８：アンカ、９：コンクリート、１２：鋼管柱、１３：取付け部材、１４：根かせ部材、１５：突起部材、１７：ボルト、１８：ナット、１９：ワッシャ、２０：滑り止め部材。
【図１】
2007182730.tif 000003
【図２】
2007182730.tif 000004
【図３】
2007182730.tif 000005
【図４】
2007182730.tif 000006
【図５】
2007182730.tif 000007
【図６】
2007182730.tif 000008
【図７】
2007182730.tif 000009